(57)【要約】【課題】  構造が簡素で、安価に製造することが可能な回転式椅子を提供する。【解決手段】  回転式椅子１は、使用者が着座可能な座部１０と、座部１０を水平方向に回転可能に支持する土台部２０とを備える。座部１０は、座部１０の下面１４と土台部２０の上面２２とが互いに対向するように、土台部２０の上部に配されている。座部１０の下面１４と土台部２０の上面２２との間に、座部１０の下面１４及び土台部２０の上面２２よりも摩擦抵抗が低い滑り材３０，３２，３４，３６が設けられている。【選択図】図２
0003200820.tif 000002
【実用新案登録請求の範囲】
【請求項１】
使用者が着座可能な座部と、前記座部を水平方向に回転可能に支持する土台部とを備える回転式椅子であって、
前記座部は、該座部の下面と前記土台部の上面とが互いに対向するように、前記土台部の上部に配されており、
前記座部の下面と前記土台部の上面との間に、該座部の下面及び該土台部の上面よりも摩擦抵抗が低い滑り材が設けられている
ことを特徴とする回転式椅子。
【請求項２】
前記滑り材は、
前記座部の下面及び前記土台部の上面のいずれか一方に設けられ、前記座部の回転軸を中心とする円環状に形成された円環状滑り材と、
前記座部の下面及び前記土台部の上面のいずれか他方において、前記円環状滑り材と整合する位置に、該円環状滑り材に沿って周方向に点在するよう設けられた複数の点状滑り材と
を備え、
前記円環状滑り材及び前記点状滑り材は、前記座部の下面及び前記土台部の上面よりも摩擦抵抗が低い樹脂により形成される
ことを特徴とする請求項１に記載の回転式椅子。
【考案の詳細な説明】
【技術分野】
【０００１】
本考案は、回転可能な座部を有する回転式椅子に関するものである。
【背景技術】
【０００２】
従来、浴室の洗い場において用いられる回転式椅子として、洗い場の床面上に据え置かれる台座部と、台座部に対して回転可能に取り付けられた腰掛け部と、台座部及び腰掛け部の組み合わせ状態を保全するための組み合わせ保全部材とを備えた入浴用腰掛け椅子が知られている（特許文献１）。この特許文献１の入浴用腰掛け椅子は、腰掛け部の意図しない回転を防止するために、使用者が着座した状態においてのみ腰掛け部が回転するよう構成されている。
【先行技術文献】
【特許文献】
【０００３】
【特許文献１】実用新案登録第３０６３８６２号公報
【考案の概要】
【考案が解決しようとする課題】
【０００４】
しかしながら、特許文献１の入浴用腰掛け椅子は、腰掛け部の回転動作を制限するために、腰掛け部に体重負荷が掛けられていない状態において係合して台座部の回転を規制し、腰掛け部に体重負荷が掛けられた状態において係合が解除され、台座部の回転を許容するよう構成された機構を台座部及び腰掛け部のそれぞれに設ける必要があるため、構造が複雑であると共に部品点数が多く、多大な製造コストがかかるという問題がある。
【０００５】
本考案は、上述した従来技術の問題点に鑑みてなされたものであり、その目的は、構造が簡素で、安価に製造することが可能な回転式椅子を提供することにある。
【課題を解決するための手段】
【０００６】
以上の目的を達成するため、本考案に係る回転式椅子は、使用者が着座可能な座部と、前記座部を水平方向に回転可能に支持する土台部とを備える回転式椅子であって、前記座部は、該座部の下面と前記土台部の上面とが互いに対向するように、前記土台部の上部に配されており、前記座部の下面と前記土台部の上面との間に、該座部の下面及び該土台部の上面よりも摩擦抵抗が低い滑り材が設けられていることを特徴とする。
【０００７】
本考案に係る回転式椅子において、前記滑り材は、前記座部の下面及び前記土台部の上面のいずれか一方に設けられ、前記座部の回転軸を中心とする円環状に形成された円環状滑り材と、前記座部の下面及び前記土台部の上面のいずれか他方において、前記円環状滑り材と整合する位置に、該円環状滑り材に沿って周方向に点在するよう設けられた複数の点状滑り材とを備え、前記円環状滑り材及び前記点状滑り材は、前記座部の下面及び前記土台部の上面よりも摩擦抵抗が低い樹脂により形成されることが好ましい。
【考案の効果】
【０００８】
本考案によれば、構造が簡素で、安価に製造することが可能な回転式椅子を提供することができる。
【図面の簡単な説明】
【０００９】
【図１】本考案の一実施形態に係る回転式椅子を概略的に示す斜視図である。
【図２】本実施形態に係る回転式椅子の縦方向の断面形状を示す断面図である。
【図３】図３（ａ）は、座部の縦方向の断面形状を示す断面図であり、図３（ｂ）は、座部の下面を概略的に示す底面図である。
【図４】図４（ａ）は、土台部の上面を概略的に示す平面図であり、図４（ｂ）は、土台部の縦方向の断面形状を示す断面図である。
【考案を実施するための形態】
【００１０】
以下、本考案を実施するための好適な実施形態について、図１〜図４を用いて説明する。なお、以下の実施形態は、各請求項に係る考案を限定するものではなく、また、実施形態の中で説明されている特徴の組み合わせの全てが考案の解決手段に必須であるとは限らない。
【００１１】
本実施形態に係る回転式椅子１は、図１及び図２に示すように、使用者が着座可能な座部１０と、座部１０を回転可能に支持する土台部２０と、座部１０と土台部２０との間に設けられた滑り材３０，３２，３４，３６とを備えている。本実施形態に係る回転式椅子１は、浴室の洗い場等において用いられる浴室用回転式椅子であるが、浴室用に限定されず、種々の用途に転用可能である。
【００１２】
座部１０は、使用者が着座する部位であり、図１及び図２に示すように、座部１０の下面１４と土台部２０の上面２２とが互いに対向するように、土台部２０の上部に配されている。この座部１０は、例えばポリプロピレン（ＰＰ）等の合成樹脂や木材等から形成されており、使用者が着座可能な剛性及び耐久性を有している。座部１０は、その表面に防カビ加工及び／又は防菌加工が施されることが好ましい。なお、座部１０が合成樹脂から形成される場合には、表面に対する防カビ加工及び／又は防菌加工に加え、又はこれに代え、合成樹脂に防カビ材や防菌材を添加させるとしても良い。
【００１３】
座部１０は、図３（ａ）及び図３（ｂ）に示すように、円盤状の座部本体部１０ａと、座部本体部１０ａの外周縁部全域から下方に向かって突出して形成された略円筒状の側壁部１０ｂと、座部本体部１０ａの下面中央部から下方に向かって垂直に突出して形成された円柱部１０ｃとを有している。
【００１４】
座部本体部１０ａは、図３（ａ）に示すように、使用者が着座可能な上面１２と、滑り材３４，３６（後述する点状滑り材３４，３６）が設けられた下面１４とを有している。
【００１５】
側壁部１０ｂは、図３（ａ）に示すように、座部本体部１０ａの外周縁部から下方かつ径方向外側に向けて斜めに突出しており、土台部２０と組み合わされた際に、土台部２０の上端部近傍の側面を覆うよう構成されている。
【００１６】
円柱部１０ｃは、図２及び図３（ａ）に示すように、土台部２０の後述する挿入孔２８に挿入可能な径及び長さを有する円柱状に形成されている。円柱部１０ｃの下端部近傍には、円柱部１０ｃの挿入孔２８からの抜け出しを防止するための抜け止め具２（例えば割ピン等）が貫通可能な貫通孔１６が形成されている。
【００１７】
座部１０の径方向の中心部には、図１、図２、図３（ａ）及び図３（ｂ）に示すように、座部本体部１０ａ及び円柱部１０ｃを貫通する排水孔１８が形成されており、該排水孔１８を介して座部１０上の水を土台部２０の内部に排水するよう構成されている。
【００１８】
土台部２０は、床面上に設置される部位であり、その上面２２において座部１０を水平回転自在に支持するよう構成されている。この土台部２０は、座部１０と同様に、例えばポリプロピレン（ＰＰ）等の合成樹脂や木材等から形成されており、使用者が座部１０に着座した際に支持可能な剛性及び耐久性を有している。土台部２０は、座部１０と同様に、その表面に防カビ加工及び／又は防菌加工が施されることが好ましい。なお、土台部２０が合成樹脂から形成される場合には、座部１０と同様に、表面に対する防カビ加工及び／又は防菌加工に加え、又はこれに代え、合成樹脂に防カビ材や防菌材を添加させるとしても良い。
【００１９】
土台部２０は、図４（ｂ）に示すように、鉛直方向に延びる略円筒状に形成された側壁部２０ａと、側壁部２０ａの上端部を閉塞する略円盤状の上壁部２０ｂとを有しており、全体として、円錐台形状となるよう形成されている。
【００２０】
側壁部２０ａは、図４（ｂ）に示すように、上方から下方に向けて径が漸次大きくなるよう形成された略円筒状に形成されている。側壁部２０ａの上端部近傍は、図２に示すように、座部１０の側壁部１０ｂの内径よりも小さい外径を有しており、座部１０と組み合わされた際に、座部１０の側壁部１０ｂとの間に僅かな隙間をおいて座部１０の側壁部１０ｂ内に収容されるよう構成されている。側壁部２０ａの下端部には、図１、図２及び図４（ｂ）に示すように、土台部２０内の水を土台部２０外に流出させるための半円状の流出孔２６が周方向に所定の間隔をおいて複数（本実施形態では４つ）形成されている。
【００２１】
上壁部２０ｂは、図２に示すように、座部１０と組み合わされた際に座部１０の下面１４と対向する上面２２を有している。上面２２には、座部１０の下面１４に設けられた滑り材３４，３６（後述する点状滑り材３４，３６）と整合する位置に、滑り材３０，３２（後述する円環状滑り材３０，３２）が設けられている。上壁部２０ｂの中央部には、図２及び図４（ｂ）に示すように、座部１０の円柱部１０ｃが貫通可能な挿入孔２８が形成されている。挿入孔２８は、座部１０の円柱部１０ｃの外径よりも大きい内径を有しており、挿入孔２８内に円柱部１０ｃが挿入された際に、円柱部１０ｃの外周面との間に僅かに隙間が生じるよう構成されている。上壁部２０ｂの下面には、挿入孔２８の周囲が下方に向けて隆起することとなるよう、上方に向けて凹となる円環状の溝２４が挿入孔２８を中心として形成されており、これにより、上壁部２０ｂの下面に付着した水が効率的に下方に向けて流動乃至滴下するよう構成されている。
【００２２】
滑り材３０，３２，３４，３６は、土台部２０に対する座部１０の回転動作を円滑にするために配される摺動材であり、座部１０の下面１４及び土台部２０の上面２２よりも高い滑り性、すなわち、座部１０の下面１４及び土台部２０の上面２２の摩擦抵抗よりも低い摩擦抵抗を有している。滑り材３０，３２，３４，３６は、例えば、ポリアセタール（ＰＯＭ）、ポリアミド（ＰＡ）及びポリテトラフルオロエチレン（ＰＴＦＥ）等の低摩擦係数かつ耐摩耗性を有する樹脂やセラミック等から形成されることが好ましい。また、滑り材３０，３２，３４，３６は、座部１０の下面１４及び土台部２０の上面２２に貼り付けられるシート状の樹脂材から構成されても良いし、座部１０の下面１４及び土台部２０の上面２２にコーティングされた樹脂層から構成されるとしても良い。
【００２３】
滑り材は、図２、図３（ａ）、図３（ｂ）、図４（ａ）及び図４（ｂ）に示すように、座部１０の下面１４に設けられた複数の点状滑り材３４，３６と、土台部２０の上面２２に設けられた複数の円環状滑り材３０，３２とを備えている。
【００２４】
円環状滑り材は、図４（ａ）及び図４（ｂ）に示すように、座部１０の回転軸Ｘを中心とする円環状に形成された内側円環状滑り材３０と、同じく座部１０の回転軸Ｘを中心とする円環状に形成され、内側円環状滑り材３０よりも大きい径を有する外側円環状滑り材３２とを備えている。内側円環状滑り材３０は、土台部２０の上面２２において、挿入孔２８の外縁部を囲うように設けられている。外側円環状滑り材３２は、土台部２０の上面２２において、土台部２０の外周縁部の内側に沿って設けられている。
【００２５】
点状滑り材は、図３（ａ）及び図３（ｂ）に示すように、座部１０の下面１４において、円柱部１０ｃの周囲に設けられた複数（本実施形態では４つ）の内側点状滑り材３４と、同じく座部１０の下面１４において、側壁部１０ｂの内側に沿って設けられた複数（本実施形態では４つ）の外側点状滑り材３６とを備えている。これら４つの内側点状滑り材３４は、図２に示すように、座部１０と土台部２０とが組み合わされた際に、内側円環状滑り材３０に沿って周方向に点在することとなるよう、内側円環状滑り材３０と整合する位置に設けられている。また、４つの外側点状滑り材３６は、図２に示すように、座部１０と土台部２０とが組み合わされた際に、外側円環状滑り材３２に沿って周方向に点在することとなるよう、外側円環状滑り材３２と整合する位置に設けられている。
【００２６】
そして、本実施形態に係る回転式椅子１は、図２に示すように、座部１０の下面１４と土台部２０の上面２２とが互いに対向することとなるように、土台部２０の挿入孔２８に座部１０の円柱部１０ｃを挿入し、土台部２０の内部において円柱部１０ｃの貫通孔１６に抜け止め具２を貫通させることで、組み立てられる。このようにして組み立てられることで、座部１０の下面１４に設けられた内側点状滑り材３４は、土台部２０の上面２２に設けられた内側円環状滑り材３０と接触し、座部１０の下面１４に設けられた外側点状滑り材３６は、土台部２０の上面２２に設けられた外側円環状滑り材３２と接触する。一方、座部１０と土台部２０とは、直接的には接触しない。すなわち、座部１０と土台部２０との間には、摩擦抵抗が低く、滑り性に優れた内側点状滑り材３４及び外側点状滑り材３６と内側円環状滑り材３０及び外側円環状滑り材３２とが相対回転可能に介在されることとなる。
【００２７】
以上説明したとおり、本実施形態に係る回転式椅子１は、使用者が着座可能な座部１０と、座部１０を水平方向に回転可能に支持する土台部２０とを備える回転式椅子１であって、座部１０は、座部１０の下面１４と土台部２０の上面２２とが互いに対向するように、土台部２０の上部に配されており、座部１０の下面１４と土台部２０の上面２２との間に、座部１０の下面１４及び土台部２０の上面２２よりも摩擦抵抗が低い滑り材（内側円環状滑り材３０、外側円環状滑り材３２、内側点状滑り材３４、外側点状滑り材３６）が設けられている。
【００２８】
このように、回転式椅子１は、座部１０と土台部２０との間に滑り材（内側円環状滑り材３０、外側円環状滑り材３２、内側点状滑り材３４、外側点状滑り材３６）を設けているため、土台部２０に対して座部１０をスムーズに回転させることが可能となる。また、回転式椅子１は、座部１０と土台部２０との間に滑り材（内側円環状滑り材３０、外側円環状滑り材３２、内側点状滑り材３４、外側点状滑り材３６）を設けるのみで製造することが可能であるため、構造が簡素であると共に部品点数が少なく、これにより、安価に製造することが可能である。
【００２９】
また、本実施形態に係る回転式椅子１において、滑り材は、土台部２０の上面２２に設けられ、座部１０の回転軸Ｘを中心とする円環状に形成された円環状滑り材（内側円環状滑り材３０、外側円環状滑り材３２）と、座部１０の下面１４において、円環状滑り材（内側円環状滑り材３０、外側円環状滑り材３２）と整合する位置に、円環状滑り材（内側円環状滑り材３０、外側円環状滑り材３２）に沿って周方向に点在するよう設けられた複数の点状滑り材（内側点状滑り材３４、外側点状滑り材３６）とを備え、円環状滑り材（内側円環状滑り材３０、外側円環状滑り材３２）及び点状滑り材（内側点状滑り材３４、外側点状滑り材３６）は、座部１０の下面１４及び土台部２０の上面２２よりも摩擦抵抗が低い樹脂により形成されている。
【００３０】
このような回転式椅子１によれば、土台部２０の上面２２に設けられる滑り材を円環状に形成し、座部１０の下面１４に設けられる滑り材を点状に形成することにより、滑り材の使用量を必要最小限に抑えることが可能であるため、より一層安価に製造することが可能である。また、金属等より安価な樹脂によって滑り材を形成することにより、製造コストを更に抑えることが可能となる。
【００３１】
以上、本考案の好適な実施形態について説明したが、本考案の技術的範囲は、上述した実施形態に記載の範囲には限定されない。上記各実施形態には、多様な変更又は改良を加えることが可能である。
【００３２】
例えば、上述した実施形態における説明では、座部１０の下面１４に内側点状滑り材３４及び外側点状滑り材３６が設けられ、土台部２０の上面２２に内側円環状滑り材３０及び外側円環状滑り材３２が設けられるものとして説明したが、これに限定されず、座部１０の下面１４と土台部２０の上面２２との間に滑り材が設けられる構成であれば、種々の構成を採用することが可能である。
【００３３】
例えば、座部１０の下面１４に内側点状滑り材３４及び外側点状滑り材３６の一方のみが設けられ、土台部２０の上面２２に内側円環状滑り材３０及び外側円環状滑り材３２の一方のみが設けられる構成としても良い。また、座部１０の下面１４に円環状滑り材３０，３２が設けられ、土台部２０の上面２２に点状滑り材３４，３６が設けられる構成としても良い。さらに、座部１０の下面１４及び土台部２０の上面２２の双方に、円環状滑り材３０，３２が設けられる構成としても良い。また、座部１０の下面１４及び土台部２０の上面２２の一方にのみ、円環状滑り材３０，３２が設けられる構成としても良い。さらに、座部１０の下面１４及び／又は土台部２０の上面２２の全面に、滑り材が設けられる構成としても良い。
【００３４】
また、上述した実施形態における説明では、座部１０の下面１４と土台部２０の上面２２との間にのみ、滑り材３０，３２，３４，３６が設けられるものとして説明したが、これに限定されるものではない。例えば、挿入孔２８の内周面と円柱部１０ｃの外周面との間、及び／又は、側壁部２０ａの上端部近傍の外周面と座部１０の側壁部１０ｂの内周面との間に、滑り材が更に設けられるとしても良い。このような構成によれば、土台部２０に対する座部１０のがたつきを抑えつつ、土台部２０に対する座部１０の回転動作をよりスムーズにすることが可能である。
【００３５】
上記のような変形例が本考案の範囲に含まれることは、実用新案登録請求の範囲の記載から明らかである。
【符号の説明】
【００３６】
１  回転式椅子、１０  座部、１４  下面、２０  土台部、２２  上面、３０  内側円環状滑り材（滑り材）、３２  外側円環状滑り材（滑り材）、３４  内側点状滑り材（滑り材）、３６  外側点状滑り材（滑り材）
【図１】
0003200820.tif 000003
【図２】
0003200820.tif 000004
【図３】
0003200820.tif 000005
【図４】
0003200820.tif 000006